(57)【要約】【課題】  顔面肌の如何なる領域であっても使い勝手良く均一に化粧するフェイスブラシを提供すること。【解決手段】  化粧料を塗布する毛束部材１２０が、この毛束部材１２０の塗布側先端に四角形状の塗布先端面１２２ａを備え、この塗布先端面１２２ａの頂点に位置する４つの内角が、相互に隣り合う鋭角と鈍角とで構成されているフェイスブラシ１００。 【選択図】図１
0003209555.tif 000002
【実用新案登録請求の範囲】
【請求項１】
化粧料を塗布する毛束部材が該毛束部材の塗布側先端に四角形状の塗布先端面を備えたフェイスブラシにおいて、
前記塗布先端面の頂点に位置する４つの内角が、相互に隣り合う鋭角と鈍角とで構成されていることを特徴とするフェイスブラシ。
【請求項２】
前記塗布先端面が、前記鋭角を内角とした２つの頂点を結ぶ対角線に対して線対称であることを特徴とする請求項１に記載のフェイスブラシ。
【請求項３】
前記塗布先端面が、該塗布先端面に対向する結束端面に対して傾斜状態となっていることを特徴とする請求項１または請求項２に記載のフェイスブラシ。
【請求項４】
前記塗布先端面の傾斜状態が、前記内角を鋭角とする２つの頂点を結ぶ対角線に沿った方向の状態であることを特徴とする請求項３に記載のフェイスブラシ。
【請求項５】
前記毛束部材が、複数種の毛素材を束ねて構成されていることを特徴とする請求項１乃至請求項４のいずれか１つに記載のフェイスブラシ。
【請求項６】
前記毛束部材を装着して保持する口金部材が、前記毛束部材に対向して横断面円形状の柄部材を嵌入して固定していることを特徴とする請求項１乃至請求項５のいずれか１つに記載のフェイスブラシ。
【考案の詳細な説明】
【技術分野】
【０００１】
本考案は、化粧料を顔面肌に塗布するフェイスブラシ、特に、ファンデーション、ほほ紅、コンシーラ（ハイライト）などの化粧料を付着させて塗布する際に使用するフェイスブラシに関する。
【背景技術】
【０００２】
従来、顔の広範囲部分や鼻周りの細部に化粧をするブラシとして、ブラシ部とブラシ部を支持する口金部と口金部を支持する柄部とからなる化粧及び洗顔用ブラシが知られている（例えば、特許文献１参照）。
【先行技術文献】
【特許文献】
【０００３】
【特許文献１】特開２０１４−１１３４８４号公報（請求項３、図１参照）
【考案の概要】
【考案が解決しようとする課題】
【０００４】
しかしながら、上述した従来の化粧及び洗顔用ブラシ（特許文献１）は、単にブラシ部の太さよりも肌に接するブラシ部の毛先面を広くして、化粧をより効率よく頬や額のような顔の広範囲部分に塗るためにブラシ部に傾斜をつけて毛先先端の辺を使用するとともに毛先面の頂点を鼻周りの細部に化粧をする構造であったため、顔の左右で同じ毛先面の頂点を使用して鼻周りの細部に化粧料を塗布する場合、細い接触面による化粧料の塗り斑が生じるという問題があった。
【０００５】
本考案は、このような課題を解決するものであって、すなわち、本考案の目的は、顔面肌の如何なる領域であっても使い勝手良く均一に化粧するフェイスブラシを提供することである。
【課題を解決するための手段】
【０００６】
本請求項１に係る考案は、化粧料を塗布する毛束部材が該毛束部材の塗布側先端に四角形状の塗布先端面を備えたフェイスブラシにおいて、前記塗布先端面の頂点に位置する４つの内角が、相互に隣り合う鋭角と鈍角とで構成されていることにより、前述した課題を解決するものである。
【０００７】
本請求項２に係る考案は、請求項１に記載されたフェイスブラシの構成に加えて、前記塗布先端面が、前記鋭角を内角とした２つの頂点を結ぶ対角線に対して線対称であることにより、前述した課題をさらに解決するものである。
【０００８】
本請求項３に係る考案は、請求項１または請求項２に記載されたフェイスブラシの構成に加えて、前記塗布先端面が、該塗布先端面に対向する結束端面に対して傾斜状態となっていることにより、前述した課題をさらに解決するものである。
【０００９】
本請求項４に係る考案は、請求項３に記載されたフェイスブラシの構成に加えて、前記塗布先端面の傾斜状態が、前記内角を鋭角とする２つの頂点を結ぶ対角線に沿った方向の状態であることにより、前述した課題をさらに解決するものである。
【００１０】
本請求項５に係る考案は、請求項１乃至請求項４のいずれか１つに記載されたフェイスブラシの構成に加えて、前記毛束部材が、複数種の毛素材を束ねて構成されていることにより、前述した課題をさらに解決するものである。
【００１１】
本請求項６に係る考案は、請求項１乃至請求項５のいずれか１つに記載されたフェイスブラシの構成に加えて、前記毛束部材を装着して保持する口金部材が、前記毛束部材に対向して横断面円形状の柄部材を嵌入して固定していることにより、前述した課題をさらに解決するものである。
【考案の効果】
【００１２】
本考案のフェイスブラシは、化粧料を塗布する毛束部材を有していることにより、化粧料を毛束部材に付着させて顔面肌に塗布することができるばかりでなく、以下のような特有の効果を奏することができる。
【００１３】
請求項１に係る考案のフェイスブラシによれば、塗布先端面の頂点に位置する４つの内角が、相互に隣り合う鋭角と鈍角とで構成されていることにより、塗布先端面の全体からなる四角形状の広領域と塗布先端面の内角を鈍角とした頂点の１つを含む部分からなる三角形状の中領域と塗布先端面の内角を鋭角とした頂点の１つを含む部分からなる三角形状の狭領域とを選択可能となるため、フェイスブラシの３つの領域を顔面肌の各部領域に合わせて使い分けして塗布する化粧料の濃淡を調整し、顔面肌への化粧料の塗布によって形成した化粧膜を立体感のある仕上がりにすることができる。
特に、塗布先端面には三角形状の挟領域が対向して２つ形成されているため、顔面肌の狭い部分に対して化粧料の濃淡の調整や種類に応じて２つの挟領域を使い分けすることができる。
【００１４】
請求項２に係る考案のフェイスブラシによれば、請求項１に係る考案が奏する効果に加えて、塗布先端面が、鋭角を内角とした２つの頂点を結ぶ対角線に対して線対称であることにより、顔面肌への化粧料の塗布方向を顔面肌の中心軸に対して左右対称にすることが可能となるため、化粧膜の仕上がりを左右対称にすることができる。
また、ユーザの利き手が右利きもしくは左利きの何れであっても支障なく使用可能となるため、ユーザの利き手に応じて製造工程を変えることなく、使い勝手の良い構造とすることができる。
【００１５】
請求項３に係る考案のフェイスブラシによれば、請求項１または請求項２に係る考案が奏する効果に加えて、塗布先端面が、この塗布先端面に対向する結束端面に対して傾斜状態となっていることにより、毛束部材の傾斜上流側に長い毛素材を密集させた長毛領域と傾斜下流側に短い毛素材を密集させた短毛領域とが生じるため、顔面肌のデリケート部分に化粧料を塗布する際に長毛領域を選定することによって毛素材との接触による顔面肌の表皮にある角質層への外傷を防止することができる。
【００１６】
請求項４に係る考案のフェイスブラシによれば、請求項３に係る考案が奏する効果に加えて、塗布先端面の傾斜状態が、内角を鋭角とする２つの頂点を結ぶ対角線に沿った方向の状態であることにより、毛束部材の長毛領域が三角形状の挟領域の１つと重なるため、顔面肌の目尻のようなデリケート部分であっても長毛領域と重なった挟領域を選定して化粧料の重ね塗りによる濃淡を微調整することができる。
【００１７】
請求項５に係る考案のフェイスブラシによれば、請求項１乃至請求項４のいずれか１つに係る考案が奏する効果に加えて、毛束部材が、複数種の毛素材を束ねて構成されていることにより、毛素材の材質や形状や混合割合によって毛束部材の塗布特性を細かく変更可能であるため、ユーザの顔面肌の状態に合わせたフェイスブラシのラインナップを簡便に提供することができる。
【００１８】
請求項６記載の考案によれば、請求項１乃至請求項５のいずれか１つに記載されたフェイスブラシの構成に加えて、毛束部材を装着して保持する口金部材が、毛束部材に対向して横断面円形状の柄部材を嵌入して固定していることにより、毛束部材と柄部材との位置合わせが不要となるため、フェイスブラシの毛束部材と口金部材と柄部材とを簡便に組み立てることができる。
【図面の簡単な説明】
【００１９】
【図１】本考案の第１実施例であるフェイスブラシを示す斜め左前上方から見た斜視図。
【図２Ａ】図１に示すフェイスブラシの毛束部材における上面図。
【図２Ｂ】図１に示すフェイスブラシの毛束部材における正面図。
【図２Ｃ】図１に示すフェイスブラシの毛束部材における左側面図。
【図２Ｄ】図１に示すフェイスブラシの毛束部材における下端面図。
【図３Ａ】図１に示すフェイスブラシの口金部材における上面図。
【図３Ｂ】図1に示すフェイスブラシの口金部材における正面図。
【図４】特に化粧料の塗布対象となる顔面肌の各領域を示す図。
【図５】本考案の第２実施例であるフェイスブラシを示す斜め左前上方から見た斜視図。
【考案を実施するための形態】
【００２０】
本考案のフェイスブラシは、化粧料を塗布する毛束部材が、この毛束部材の塗布側先端に四角形状の塗布先端面を備え、この塗布先端面の頂点に位置する４つの内角が、相互に隣り合う鋭角と鈍角とで構成されていることにより、顔面肌の如何なる領域であっても使い勝手良く均一に化粧するものであれば、その具体的な実施態様は、如何なるものであっても構わない。
【実施例１】
【００２１】
以下に、本考案の第１実施例であるフェイスブラシについて、図１乃至図３に基づいて説明する。
本考案の第１実施例であるフェイスブラシ１００は、図１に示すように、化粧料を付着させて塗布する毛束部材１２０と、この毛束部材１２０を装着して保持する口金部材１４０と、この口金部材１４０に嵌入して固定する柄部材１６０とから構成される。
本実施例の説明において、図１に示す組み立てられたフェイスブラシ１００の正面から見た場合を基準とした場合の毛束部材１２０を「上」、柄部材１６０を「下」、図視右手側を「右」、左手側を「左」とする。
【００２２】
毛束部材１２０について、図１、図２Ａ乃至図２Ｄに基づいて説明する。
毛束部材１２０は、複数本の毛素材を束にした所定の毛量を有する毛束構造である。
【００２３】
毛束部材１２０に用いられる毛素材としては、例えば、馬、イタチ、リス、山羊、狸、牛、羊、兔、猫、狐、熊、鹿、猿、豚、猪、犬、ムササビなどの獣毛や、ＰＢＴ（ポリブチレンテレフタレート）、ＰＥＴ（ポリエチレンテレフタレート）、ナイロンなどの合成樹脂からなる合成繊維があげられ、また、獣毛と合成繊維との混合毛であっても構わない。
さらに、毛素材は、染料や顔料などの着色剤用いて着色したものであっても構わない。
【００２４】
なお、第１実施例においては、毛束部材１２０の毛素材には、茶色に着色したＰＢＴ（ポリブチレンテレフタレート）からなる合成繊維が採用されている。
さらに、毛素材を束にした場合に毛素材の適度なまとまりを確保するため、直毛と縮れ毛、太径と細径の毛素材など、複数種の毛素材を所定の割合で混合して束ねた構成を採用することによって所望する毛束部材１２０の塗布特性を得ている。
これにより、毛素材の材質や形状や混合割合を変更することによって毛束部材１２０の塗布特性を細かく変更可能となっている。
【００２５】
毛束部材１２０は、毛束先端部１２２と毛束本体１２４と結束端部１２６とからなる。
毛束部材１２０は、図２Ｂに示すように、毛束先端部１２２がこの毛束先端部１２２に対向する結束端部１２６に対して右側から左側に向かって下り傾斜した傾斜状態となっている。
これにより、毛束部材１２０の右側にあたる傾斜上流側に長い毛素材を密集させた長毛領域と、左側にあたる傾斜下流側に短い毛素材を密集させた短毛領域とが生じている。
【００２６】
毛束先端部１２２は、毛束部材１２０の上側にあたる塗布側先端に設けられた部分である。
毛束先端部１２２の上側には、毛素材の毛先によって、四角形状の塗布先端面１２２ａが形成されている。
【００２７】
塗布先端面１２２ａは、顔面肌Ｆに塗布する化粧料を付着させる部分である。
塗布先端面１２２ａは、図１および図２Ａに示すように、塗布先端面１２２ａの頂点に位置する４つの内角が、相互に隣り合う鋭角と鈍角とで構成されており、２つの対向する同角度の鋭角を内角とした２つの頂点を結ぶ対角線に対して線対称となっている四角形状、いわゆるひし形をしている。
これにより、ユーザは、顔面肌Ｆに化粧料を塗布する際、塗布先端面１２２ａの全体からなる四角形状の広領域と、塗布先端面１２２ａの内角を鈍角とした頂点の１つを含む部分からなる三角形状の中領域と、塗布先端面１２２ａの内角を鋭角とした頂点の１つを含む部分からなる三角形状の狭領域とを選択可能としている。
【００２８】
また、塗布先端面１２２ａが線対称となっていることから、フェイスブラシ１００を持ち替えなくても顔面肌Ｆに接触する毛素材のボリュームが同量となる。
これにより、ユーザが化粧料を顔面肌Ｆに塗布する際、顔面肌Ｆへの化粧料の塗布方向を顔面肌Ｆの中心軸に対して左右対称にすることが可能となる。
さらに、フェイスブラシ１００は、ユーザの利き手が右利きもしくは左利きの何れであっても支障なく使用可能となる。
【００２９】
三角形状の挟領域のそれぞれは、傾斜上流側の長毛領域と、傾斜下流側の短毛領域とに一致する。
このことから、傾斜上流側の三角形状の挟領域の方が傾斜下流側の三角形状の挟領域よりも小さい剛性となる。
【００３０】
毛束本体１２４は、毛束先端部１２２と結束端部１２６との相互間に設けられて毛素材の剛性を調整する部分である。
毛束本体１２４の長さを調整することによって、毛束部材１２０の剛性を調整している。
【００３１】
結束端部１２６は、毛束本体１２４の下側にあたる基端側に設けられて毛素材の相互間を結束している部分である。
毛素材の結束には、糸やワイヤーを用いた結束のほか、接着剤のような補材を用いた接着、熱融着または熱圧着によって毛素材を溶融・固化する融着など、結束する方法であれば如何なる方法であっても構わない。
なお、第１実施例においては、結束端部１２６に位置した毛素材を溶融・固化する熱融着によって結束している。
【００３２】
口金部材１４０について、図１、図３Ａおよび図３Ｂに基づいて説明する。
口金部材１４０の素材としては、アルミニウム、真鍮、チタン、ステンレスなどの金属や、樺、杉、ヒノキ、ブナ、黒檀などの木材、ＡＢＳ樹脂、ＡＳ樹脂、ポリウレタン樹脂などの合成樹脂があげられる。
さらに、口金部材１４０は、表面に着色、加飾、印刷、金属や金属酸化物などのめっきや蒸着、樹脂などの表面コーティング、エンボスなどを加工したものであっても構わない。
【００３３】
なお、第１実施例においては、口金部材１４０の素材には、アルミニウムが採用されている。
さらに、口金部材１４０の製造には、アルミニウムの板材を打ち出し成型した後、表面を黒色に着色する表面コーティングを施す製造方法が採用されている。
【００３４】
口金部材１４０は、塗布側開口端部１４２と口金本体１４４と支持側開口端部１４６とからなる。
塗布側開口端部１４２は、口金部材１４０の上側に形成された部分であり、図１および図３Ａに示すように、ひし形状の開口が設けられている。
塗布側開口端部１４２に設けられたひし形状の開口は、毛束部材１２０が挿入可能な大きさとなっている。
【００３５】
口金本体１４４は、塗布側開口端部１４２と支持側開口端部１４６との相互間に設けられた部分である。
口金本体１４４の長さを調整することによって、毛束部材１２０と柄部材１６０との離間距離を調整している。
【００３６】
なお、第１実施例においては、口金本体１４４の内側空間は、塗布側開口端部１４２から約三分の一にあたる上側部分に毛束部材１２０、支持側開口端部１４６から約三分の一にあたる下側部分に柄部材１６０を装着して保持し、中央の約三分の一は空隙となっている。
口金本体１４４の内側空間の中央に設けられた空隙は、毛束部材１２０と柄部材１６０との位置調整や接続時に使用された接着剤の外部への漏洩を防止している。
【００３７】
支持側開口端部１４６は、口金本体１４４の下側に設けられた部分であり、図１および図３Ａに示すように、円形状の開口が設けられている。
支持側開口端部１４６に設けられた円形状の開口は、塗布側開口端部１４２に設けられたひし形状の開口に対向して設けられ、柄部材１６０が挿入可能な大きさとなっている。
【００３８】
なお、第１実施例においては、支持側開口端部１４６に設けられた開口の形状は、円形であるが、柄部材１６０の断面形状に合わせて楕円形、六角形などにしてもよい。
さらに、第１実施例においては、図３Ｂに示すように、塗布側開口端部１４２の開口からなる塗布側開口端面１４２ａが、毛束部材１２０の塗布先端面１２２ａに対して傾斜した状態であるとともに、支持側開口端部１４６の開口からなる支持側開口端面１４６ａに平行した状態となっている。
【００３９】
また、口金部材１４０の塗布側開口端面１４２ａおよび支持側開口端部１４６の端面と口金本体１４４の外周面とには、端面や角に丸み（Ｒ）がつけられている。
これにより、塗布先端面の内角を鋭角とした頂点の１つを含む部分からなる三角形状の挟領域や、塗布先端面の鋭角と鋭角とを結んだ対角に直角に動かす広領域を用いた場合、従来多く使用されている角の各々に丸みをつけていない口金部を使用したフェイスブラシに比べ、顔面肌Ｆに接触した際の外傷が防止されて安全に使用可能となる。
さらに、口金部材１４０の端面や角に位置する毛束本体１２４の部分にかかる力が緩和され、毛束本体１２４がフェイスブラシ１００を使用するにつれて口金部材１４０の端面や角で折曲がって毛束先端部１２２を広げてしまう現象を抑制し、化粧する際の均一な化粧料の塗布を維持している。
【００４０】
柄部材１６０について、図１に基づいて説明する。
柄部材１６０の素材としては、樺、杉、ヒノキ、ブナ、黒檀などの木材、ＡＢＳ樹脂、ＡＳ樹脂、アクリル樹脂、アクリルニトリルスチレン樹脂（ＡＳ）、ポリカーボネイト樹脂（ＰＣ）、ポリウレタン樹脂などの合成樹脂があげられる。
さらに、柄部材１６０は、表面に着色、加飾、印刷、金属や金属酸化物などの蒸着や樹脂などの表面コーティング、エンボスなどを加工したものであっても構わない。
【００４１】
なお、第１実施例においては、柄部材１６０の素材には、樺の木材が採用されている。
さらに、柄部材１６０の製造には、丸棒状の木材から削り出し成型した後、表面を黒色に着色する表面コーティングを施す製造方法が採用されている。
また、口金部材１４０と柄部材１６０とを一体構造としても構わない。
【００４２】
柄部材１６０は、嵌入固定端部１６２と柄本体１６４と柄端部１６６とからなる。
嵌入固定端部１６２は、口金部材１４０の支持側開口端部１４６から嵌入して口金本体１４４に接着剤で固定される部分である。
嵌入固定端部１６２の断面形状は、柄本体１６４を縮径した形状であり、柄本体１６４の外縁を切削除去して形成されている。
なお、第１実施例においては、柄部材１６０の嵌入固定端部１６２を口金部材１４０の支持側開口端部１４６に嵌入する構造としたが、柄部材１６０の嵌入固定端部１６２を凹状にして口金部材１４０の支持側開口端部１４６を嵌入する構造としてもよい。
【００４３】
柄本体１６４は、嵌入固定端部１６２に連続して設けられて手指で把持する部分である。
また、第１実施例のおいては、柄本体１６４を手指で把持した状態で毛束部材１２０に付着させた化粧料を顔面肌Ｆに塗布する際、毛束部材１２０の塗布先端面１２２ａにある三角形状の挟領域を使って顔面肌Ｆの細かい部分の化粧膜を所望する状態に仕上げるため、顔面肌Ｆの凹凸に沿った微細な動きを可能とする横断面円形状が採用されている。
なお、第１実施例においては、柄部材１６０の横断面形状は、円形であるが、楕円形、六角形などにしてもよい。
さらに、第１実施例においては、柄本体１６４の長さは、毛束部材１２０の長さよりも長い構造としたが、毛束部材１２０の長さと同じ構造であっても短い構造であっても、口金部材１４０を固定して手指で把持可能であれば、如何なる長さや形状のものであっても構わない。
【００４４】
柄端部１６６は、嵌入固定端部１６２に対向する部分である。
柄端部１６６の形状は、フェイスブラシ１００のスタンプ動作を繰り返すために柄端部１６６を掌で包持した場合や、手指に緩衝した場合であっても、手指に外傷を負わせないようにするため、端面や角に丸み（Ｒ）がつけられる。
ここで、フェイスブラシ１００のスタンプ動作とは、塗布先端面１２２ａの一部または全部を使用して、ぽんぽんとスタンプを押すように前後に動かして顔面肌Ｆを押えるフェイスブラシ１００の動作のことであり、顔面肌Ｆの広範囲部分に対して掃くよう上下左右に動かすフェイスブラシ１００の動作ではない。
スタンプ動作による化粧料の塗布は、化粧料によるカバー力の効果を得たい部分に使用される。
なお、第１実施例においては、柄端部１６６の形状には、半球状が採用されている。
【００４５】
次に、本考案の第１実施例であるフェイスブラシ１００の製造方法を、図１に基づいて説明する。
最初に、毛束部材１２０を製造する工程について簡単に説明する。
【００４６】
まず、所望する毛束部材１２０の塗布特性に必要な種類の毛素材を準備する。
準備された毛素材の各々を一方側の先端を溶剤で溶解して尖頭形状に形成する。
次に、先頭形状にされた毛素材を所望する毛束部材１２０の塗布特性となるように種類と数本とを選定した後、混合して束ねる。
【００４７】
束ねた毛素材の他方側を傾斜治具の傾斜面に沿わせ、一方側の先端を傾斜させた毛束先端部１２２を形成する。
毛束先端部１２２を形成した後、毛素材の束を離散しないように毛束部材１２０の毛束本体１２４となる部分を把持治具で把持する。
【００４８】
把持治具で把持した毛素材の束における毛束本体１２４となる部分の他方側を断面水平に切断する。
断面水平にした切断面を熱融着し、結束端部１２６を形成する。
【００４９】
なお、毛束部材１２０の長さ２つ分を有した毛素材の束を準備し、先に両端を熱融着して結束端部１２６を形成した後に略中央を傾斜切断して傾斜切断面を形成し、形成した傾斜切断面の先端を溶剤で溶解させて毛素材の先端を先頭形状にした毛束先端部１２２を形成することによって、２つの毛束部材１２０を一度に形成してもよい。
先に結束端部１２６を形成することによって、毛束部材１２０を傾斜させる製造工程を省略することができる。
【００５０】
また、毛束部材１２０の長さ２つ分を有した毛素材の束を準備し、先に両端を溶剤で溶解することによって毛素材の先端を先頭形状にした毛束先端部１２２を形成し、毛素材の束を傾斜治具の傾斜面に沿わせて毛束先端部１２２を両端に形成した後、毛素材の束を離散しないように毛束部材１２０の結束端部１２６となる略中央部分を把持治具で把持した状態で水平に切断し、水平となった切断面を熱融着して結束端部１２６を形成することによって、２つの毛束部材１２０を一度に形成してもよい。
先に両端に毛束先端部１２２を形成してから傾斜させることによって、毛素材の束を傾斜させる製造工程を半分に削減することができる。
なお、毛素材の先端が予め先頭形状をしている獣毛のような素材を用いる場合には、素材の先端を溶剤で溶融する工程が省略される。
【００５１】
続いて、毛束部材１２０と口金部材１４０と柄部材１６０との組み立て動作を説明する。
まず、毛束部材１２０を口金部材１４０に装着して接着剤で口金部材１４０の内面に保持する。
【００５２】
次に、接着剤を塗布した柄部材の嵌入固定端部１６２を口金部材１４０の支持側開口端部１４６から嵌入して固定する。
これにより、毛束部材１２０および口金部材１４０の柄部材１６０に対する指示を確実なものとすることができる。
【００５３】
図１では、口金部材１４０に装着して保持された毛束部材１２０における毛束先端部１２２の塗布先端面１２２ａが平面で図示されている。
しかし、毛束部材１２０を形成した毛素材の材質や形状や結束の際に生ずる密度の差異、口金部材１４０に設けられた端面や角に丸み（Ｒ）、口金部材１４０の内部に装着された毛束部材１２０の位置などの諸条件によって、毛束先端部１２２の塗布先端面１２２ａが凸状の緩曲面となる場合もある。
さらに、柄部材１６０が、横断面円形状であることによって、毛束部材１２０に対する柄部材１６０の挿入方向を合わせる必要が無く、簡便に組み立てることができる。
【００５４】
なお、柄部材１６０の嵌入固定端部１６２を口金部材１４０の支持側開口端部１４６から口金部材１４０の口金本体１４４の三分の一程度の長さを嵌入した後、口金部材１４０の塗布側開口端部１４２から接着剤を流し入れ、柄部材１６０の嵌入固定端部１６２を口金本体１４４の内面に固着してもよい。
また、毛束部材１２０の結束端部１２６に接着剤を塗布した後、接着剤を塗布した毛束部材１２０の結束端部１２６を口金部材１４０の塗布側開口端部１４２から口金部材１４０の口金本体１４４の三分の一程度の長さを挿入して口金部材１４０の口金本体１４４の内面に固着してもよい。
【００５５】
次に、図４を参照しながら、本考案のフェイスブラシ１００を用いて化粧料を塗布する際、毛束部材１２０の塗布先端面１２２ａを使い分ける３つの領域の内、顔面肌Ｆの広領域と挟領域との一例を説明する。
図４に示すように、化粧料を塗布する顔面肌Ｆには、化粧料を塗り広げる広領域ＦＷと化粧料を塗布する挟領域ＦＳとが存在する。
【００５６】
広領域ＦＷは、例えば、額および鼻にかけてのＴゾーンＦＷ１、目の下の頬にあたる三角ゾーンＦＷ２、フェイスラインＦＷ３である。
広領域ＦＷへの化粧料の塗布には、塗布先端面１２２ａの全体からなる広領域が用いられ、毛束先端部１２２に付着した化粧料を顔面肌Ｆの中央から外側に向かってフェイスブラシ１００を掃くように動かして塗布する。
【００５７】
挟領域ＦＳは、例えば、目周りＦＳ１、目と鼻の間隙ＦＳ２、小鼻周りＦＳ３、口角ＦＳ４である。
挟領域ＦＳへの化粧の塗布には、塗布先端面１２２ａの対向した２つの内角を鋭角とした頂点を１つ含む三角形状の挟領域が用いられ、特に、顔面肌Ｆとしてデリケートな部分である目周りＦＳ１、目と鼻の間隙ＦＳ２には、塗布先端面１２２ａの傾斜上流側の三角形状の挟領域が主に用いられる。
【００５８】
本考案の第１実施例では、顔面肌Ｆに塗布する部材に複数本の毛素材を束にした毛束部材１２０を用いたが、毛素材を圧縮して絡み合せたフェルト構造であっても、多孔質の柔軟なスポンジ構造であっても、顔面肌Ｆに接した場合に顔面肌Ｆの凹凸に沿って変形し、四角形状の頂点が挟領域の細部まで行き届くものであれば如何なるものであっても構わない。
なお、スポンジ構造を有する素材としては、例えば、海面、天然ゴムなどの天然素材や、ニトリルゴム（ＮＢＲ）、ＰＥＴ（ポリエチレンテレフタレート）、ナイロンなどの合成樹脂を発泡させた樹脂発泡体があげられる。
【００５９】
本考案の第１実施例では、毛束部材１２０の結束端部１２６は、毛束本体１２４となる部分の他端側を毛束先端部１２２に対して断面水平に切断した後に切断面を熱融着によって結束したが、必ずしも断面水平に切断する必要はなく、例えば、未切断の不揃いな形状、切断後に毛束先端部１２２に対して平行や非平行な形状など、毛束部材１２０の他端側を結束して口金部材１４０の内面に接着剤で保持可能な形状であれば、如何なるものであっても構わない。
これにより、毛束部材１２０の結束端部１２６の品質管理を厳格にする必要が無く、毛束部材１２０の製造工程を簡便にすることができる。
【００６０】
このようにして得られた本考案の第１実施例であるフェイスブラシ１００は、化粧料を塗布する毛束部材１２０を有していることにより、化粧料を毛束部材１２０に付着させて顔面肌Ｆに塗布することができるばかりでなく、毛束部材１２０の塗布側先端に形成された四角形状の塗布先端面１２２ａの頂点に位置する４つの内角が、相互に隣り合う鋭角と鈍角とで構成されていることにより、フェイスブラシ１００の３つの領域を顔面肌Ｆの各部領域に合わせて使い分けして塗布する化粧料の濃淡を調整し、顔面肌Ｆへの化粧料の塗布によって形成した化粧膜を塗り斑のない立体感のある仕上がりにすることができる。
特に、塗布先端面１２２ａには三角形状の挟領域が対向して２つ形成されているため、顔面肌Ｆの狭い部分に対して化粧料の濃淡の調整や種類に応じて２つの挟領域を使い分けすることができる。
さらに、塗布先端面１２２ａが、鋭角を内角とした２つの頂点を結ぶ対角線に対して線対称であることにより、化粧膜の仕上がりを左右対称にすることができるとともに、ユーザの利き手に応じて製造工程を変えることのない使い勝手の良い構造とすることができる。
【００６１】
また、塗布先端面１２２ａが、この塗布先端面１２２ａに対向する結束端面１２６ａに対して傾斜状態となっていることにより、顔面肌Ｆのデリケート部分に化粧料を塗布する際に長毛領域を選定することによって毛素材との接触による顔面肌Ｆの表皮にある角質層への外傷を防止することができる。
さらに、塗布先端面１２２ａの傾斜状態が、内角を鋭角とする２つの頂点を結ぶ対角線に沿った方向の状態であることにより、顔面肌Ｆの目尻のようなデリケート部分であっても長毛領域と重なった挟領域を選定して化粧料の重ね塗りによる濃淡を微調整することができるなど、その効果は甚大である。
【実施例２】
【００６２】
続いて、本考案の第２実施例であるフェイスブラシ２００について、図５に基づいて説明する。
第２実施例のフェイスブラシ２００は、第１実施例のフェイスブラシ１００の毛束部材１２０の毛束先端部１２２を傾斜させる代わりに口金部材１４０の塗布側開口端部１４２を傾斜させたものであり、多くの要素について第１実施例のフェイスブラシ１００と共通するので、共通する事項については詳しい説明を省略し、下２桁が共通する２００番台の符号を付すのみとする。
【００６３】
毛束部材２２０は、図５に示すように、毛束先端部２２２がこの毛束先端部２２２に対向する結束端部２２６に対して平行状態となっている。
これにより、毛束部材１２０が均一な長さの毛素材を密集させて形成される。
【００６４】
口金部材２４０は、図５に示すように、塗布側開口端部２４２の開口からなる塗布側開口端面２４２ａが、支持側開口端部２４６の開口からなる支持側開口端面２４６ａに対して右側から左側に向かって下り傾斜した傾斜状態となっている。
これにより、毛束部材２２０の右側にあたる口金部材２４０の傾斜上流側に位置する毛素材の束が、毛素材の突出部分を短くした短毛の突出する三角形状の挟領域となる。
【００６５】
また、毛束部材２２０の左側にあたる口金部材２４０の傾斜下流側に位置する毛素材の束が、毛素材の突出部分を長くした長毛の突出する三角形状の挟領域となる。
このことから、口金部材２４０の傾斜上流側の三角形状の挟領域の方が傾斜下流側の三角形状の挟領域よりも大きい剛性となる。
【００６６】
なお、本考案の第２実施例であるフェイスブラシ２００の製造方法については、第１実施例であるフェイスブラシ１００の製造方法において毛束部材１２０の一方側の先端を傾斜させる工程が省略されることの他は同様であるため、詳細な説明を割愛する。
【００６７】
このようにして得られた本考案の第２実施例であるフェイスブラシ２００は、毛束部材２２０の塗布先端面２２２ａを結束端面２２６ａに対して傾斜状態にする必要が無い。
そのため、毛束部材２２０の製造工程を簡略化することができるなど、その効果は甚大である。
【符号の説明】
【００６８】
１００  、２００  ・・・  フェイスブラシ
１２０  、２２０  ・・・  毛束部材
１２２  、２２２  ・・・  毛束先端部
１２２ａ、２２２ａ  ・・  塗布先端面
１２４  、２２４  ・・・  毛束本体
１２６  、２２６  ・・・  結束端部
１２６ａ、２２６ａ  ・・  結束端面
１４０  、２４０  ・・・  口金部材
１４２  、２４２  ・・・  塗布側開口端部
１４２ａ、２４２ａ  ・・  塗布側開口端面
１４４  、２４４  ・・・  口金本体
１４６  、２４６  ・・・  支持側開口端部
１４６ａ、２４６ａ  ・・  支持側開口端面
１６０  、２６０  ・・・  柄部材
１６２  、２６２  ・・・  嵌入固定端部
１６４  、２６４  ・・・  柄本体
１６６  、２６６  ・・・  柄端部
Ｆ              ・・・  顔面肌
ＦＷ            ・・・  （顔面肌の）広領域
ＦＷ１          ・・・  Ｔゾーン（額から鼻）
ＦＷ２          ・・・  三角ゾーン（目の下の頬）
ＦＷ３          ・・・  フェイスライン
ＦＳ            ・・・  （顔面肌の）挟領域
ＦＳ１          ・・・  目周り
ＦＳ２          ・・・  目と鼻との間隙
ＦＳ３          ・・・  小鼻周り
ＦＳ４          ・・・  口角
【図１】
0003209555.tif 000003
【図２Ａ】
0003209555.tif 000004
【図２Ｂ】
0003209555.tif 000005
【図２Ｃ】
0003209555.tif 000006
【図２Ｄ】
0003209555.tif 000007
【図３Ａ】
0003209555.tif 000008
【図３Ｂ】
0003209555.tif 000009
【図４】
0003209555.tif 000010
【図５】
0003209555.tif 000011